(57)【要約】【課題】本体と操作部とが分離した装置において、コピー機能を使用する場合にユーザーの負担を軽減する。【解決手段】コピー機能を有するマルチファンクションプリンター本体２０と各種コピー設定やコピー開始の指示が可能なリモート端末４０とを備え、マルチファンクションプリンター２０側に実行ボタン３８を配置する。そして、通常時に実行ボタン３８が操作されると、デフォルト設定でコピーを実行し、リモート端末４０側でコピー設定を入力してコピーが実行されると、所定時間が経過するまでは実行ボタン３８を操作された場合に前回使用したコピー設定でコピーを再実行する。これにより、デフォルト設定でコピーを実行したり、前回使用したコピー設定と同一設定でコピーを繰り返し実行したりする場合には、実行ボタン３８を操作するだけでよいから、ユーザーの作業負担を軽減することができる。【選択図】図１
2013251591.tif 000002
【特許請求の範囲】
【請求項１】
複写を実行する本体と、複写に関する設定を入力すると共に該入力した設定を無線通信により前記本体に送信する送信側操作部と、を備える複写機であって、
前記本体側に設けられた受信側操作部と、
該受信側操作部が操作された場合に、該操作に対応する操作対応処理を実行する操作対応処理実行手段と、
を備え、
前記操作対応処理実行手段は、前記送信側操作部から受信した設定に従って前記本体が複写を実行する前に前記受信側操作部が操作された場合には前記操作対応処理として前記複写に関する設定の入力とは異なる所定の処理を実行し、前記送信側操作部から受信した設定に従って前記本体が複写を実行した後に前記受信側操作部が操作された場合には該受信した設定と同一設定により複写を実行する手段である
ことを特徴とする複写機。
【請求項２】
請求項１記載の複写機であって、
前記操作対応処理実行手段は、前記所定の処理として、デフォルト設定により複写を実行する手段である
ことを特徴とする複写機。
【請求項３】
請求項１または２記載の複写機であって、
前記操作対応処理実行手段は、前記送信側操作部から受信した設定に従って複写が実行されてから所定時間が経過するまでに前記受信側操作部が操作された場合には前記操作対応処理として前記同一設定により複写を実行し、前記所定時間が経過した後に前記受信側操作部が操作された場合には前記操作対応処理として前記所定の処理の実行に復帰させる手段である
ことを特徴とする複写機。
【請求項４】
請求項１または２記載の複写機であって、
前記操作対応処理実行手段は、電源オンされてから前記送信側操作部から受信した設定に従って複写が実行されるまでに前記受信側操作部が操作された場合には前記操作対応処理として前記所定の処理を実行し、前記送信側操作部から受信した設定に従って複写が実行されてから電源オフされるまでに前記受信側操作部が操作された場合には前記操作対応処理として前記同一設定での複写を実行する手段である
ことを特徴とする複写機。
【発明の詳細な説明】
【技術分野】
【０００１】
本発明は、複写を実行する本体と、複写に関する設定を入力すると共に該入力した設定を無線通信により前記本体に送信する送信側操作部と、を備える複写機に関する。
【背景技術】
【０００２】
従来より、操作ボタンが設けられた画像形成装置本体と、本体に対して着脱が可能なタッチパネル式の液晶ディスプレイ（操作部）とを備えるものが提案されている（例えば、特許文献１参照）。この装置では、操作部が本体に装着されている場合には操作部に表示される操作キーを操作することにより任意の機能（コピー機能やプリンター機能、ファクシミリー送受信機能など）を利用することができ、操作部が本体に装着されていない場合には本体側に設けられた操作ボタンの操作により基本機能（コピー機能）のみを利用することができるとしている。
【先行技術文献】
【特許文献】
【０００３】
【特許文献１】特開２００８−１９３５０７号公報
【発明の概要】
【発明が解決しようとする課題】
【０００４】
ところで、本体と操作部とが分離したタイプの装置では、操作部から無線通信によって本体に対して各種指示を送信するものを考えることができる。この場合、本体には電源ボタンや実行ボタンなどの最小限の操作ボタンのみを設けるものとし、各種機能の詳細な設定については操作部によって行なう仕様となることが多い。こうした装置において、コピー機能を使用する場合を考えると、ユーザーは、コピー元の原稿を本体側の原稿台にセットする作業と、各種コピー設定（コピー枚数の設定やコピー色の設定、倍率の設定など）を操作部に入力する作業と、本体側あるいは操作部側でコピーの実行開始を指示する作業とが必要とされる。即ち、コピー機能を使用するには、本体側の作業と操作部側の作業の両方が必要となるため、特に、同一設定のコピーを繰り返し実行する場合などでは、ユーザーの作業負担が増大し、使い勝手が悪い。
【０００５】
本発明の複写機は、本体と操作部とが分離した装置において、コピー機能を使用する場合にユーザーの作業負担を軽減することを主目的とする。
【０００６】
本発明の複写機は、上述の主目的を達成するために以下の手段を採った。
【課題を解決するための手段】
【０００７】
本発明の複写機は、
複写を実行する本体と、複写に関する設定を入力すると共に該入力した設定を無線通信により前記本体に送信する送信側操作部と、を備える複写機であって、
前記本体側に設けられた受信側操作部と、
該受信側操作部が操作された場合に、該操作に対応する操作対応処理を実行する操作対応処理実行手段と、
を備え、
前記操作対応処理実行手段は、前記送信側操作部から受信した設定に従って前記本体が複写を実行する前に前記受信側操作部が操作された場合には前記操作対応処理として前記複写に関する設定の入力とは異なる所定の処理を実行し、前記送信側操作部から受信した設定に従って前記本体が複写を実行した後に前記受信側操作部が操作された場合には該受信した設定と同一設定により複写を実行する手段である
ことを要旨とする。
【０００８】
この本発明の複写機では、複写を実行する本体と、複写に関する設定を入力すると共に入力した設定を無線通信により本体に送信する送信側操作部と、を備え、本体側に受信側操作部を設け、受信側操作部が操作された場合にその操作に対応する操作対応処理を実行する。そして、送信側操作部から受信した設定に従って本体が複写を実行する前に受信側操作部が操作された場合には操作対応処理として複写に関する設定の入力とは異なる所定の処理を実行し、送信側操作部から受信した設定に従って本体が複写を実行した後に受信側操作部が操作された場合には受信した設定と同一設定により複写を実行する。これにより、一度複写に関する設定を送信側操作部に入力して本体側に送信して複写を実行すれば、本体側に設けられた受信側操作部を操作するだけで、同一設定で複写を繰り返し実行することができる。この結果、複写を実行する際のユーザーの作業負担を軽減させることができる。もとより、通常時には受信側操作部を操作することにより複写に関する設定とは異なる所定の処理を実行することができる。
【０００９】
こうした本発明の複写機において、前記操作対応処理実行手段は、前記所定の処理として、デフォルト設定により複写を実行する手段であるものとすることもできる。こうすれば、デフォルト設定で複写を実行する場合には、受信側操作部を操作するだけで、複写を実行することができる。
【００１０】
また、本発明の複写機において、前記操作対応処理実行手段は、前記送信側操作部から受信した設定に従って複写が実行されてから所定時間が経過するまでに前記受信側操作部が操作された場合には前記操作対応処理として前記同一設定により複写を実行し、前記所定時間が経過した後に前記受信側操作部が操作された場合には前記操作対応処理として前記所定の処理の実行に復帰させる手段であるものとすることもできるし、前記操作対応処理実行手段は、電源オンされてから前記送信側操作部から受信した設定に従って複写が実行されるまでに前記受信側操作部が操作された場合には前記操作対応処理として前記所定の処理を実行し、前記送信側操作部から受信した設定に従って複写が実行されてから電源オフされるまでに前記受信側操作部が操作された場合には前記操作対応処理として前記同一設定での複写を実行する手段であるものとすることもできる。こうすれば、受信側操作部に割り当てる操作対応処理をより適切なタイミングで切り替えることができる。
【図面の簡単な説明】
【００１１】
【図１】本実施形態のマルチファンクションプリンターの概略構成図。
【図２】コピーモード画面の一例を示す説明図。
【図３】コピー色の設定の様子を示す説明図。
【図４】リモートコピー処理の一例を示すフローチャート。
【図５】実行ボタン操作時コピー処理の一例を示すフローチャート。
【図６】フラグリセット処理の一例を示すフローチャート。
【発明を実施するための形態】
【００１２】
次に、本発明の実施の形態を図面に基づいて説明する。図１は、本発明の一実施形態であるマルチファンクションプリンターの構成の概略を示す構成図である。本実施形態のマルチファンクションプリンターは、プリント機能やコピー機能、スキャナー機能などの各種機能を実行可能なマルチファンクションプリンター本体２０と、無線ＬＡＮやＢｌｕｅｔｏｏｔｈ（登録商標）、赤外線通信などの無線通信によりマルチファンクションプリンター本体２０に対して各種機能の設定や実行指示を送信するリモート端末４０と、を備える。
【００１３】
マルチファンクションプリンター本体２０は、図示するように、用紙に対して印刷を実行するプリンターユニット２１と、図示しない原稿台に載置された原稿に対してスキャンを実行するスキャナーユニット２４と、メモリーカードスロット２７に挿入されたメモリーカードとの間でファイルの読み書きを行なうメモリーカードコントローラー２８と、リモート端末４０と無線通信を行なうための無線通信部２９と、電源のオンオフを行なうための電源ボタン３７と、各種機能の実行開始を指示するための実行ボタン３８と、装置全体の制御を司るメインコントローラー３０とを備える。このマルチファンクションプリンター本体２０では、プリンターユニット２１とスキャナーユニット２４とメモリーカードコントローラー２８と無線通信部２９とメインコントローラー３０とがバス３６を介して電気的に接続されており、互いに各種制御信号やデータをやり取りできるようになっている。
【００１４】
プリンターユニット２１は、プリンターエンジン２２と、このプリンターエンジン２２を制御するプリンターＡＳＩＣ２３とを備える。プリンターエンジン２２は、本実施形態では、給紙トレイ３９ａから用紙を搬送すると共に搬送された用紙に対して印刷用データに基づいてシアン（Ｃ），マゼンタ（Ｍ），イエロー（Ｙ），ブラック（Ｋ）のＣＭＹＫの各色のインクを印刷ヘッドから吐出することにより印刷を実行して用紙を排紙トレイ３９ｂに排紙するインクジェット方式のプリンターエンジンとして構成されている。
【００１５】
スキャナーユニット２４は、スキャナーエンジン２５と、このスキャナーエンジン２５を制御するスキャナーＡＳＩＣ２６とを備える。スキャナーエンジン２５は、本実施形態では、原稿台に載置された原稿に向かって発光すると共に原稿からの反射光をレッド（Ｒ）、グリーン（Ｇ）、ブルー（Ｂ）のＲＧＢの各色に分解して画像データとして得るフラットベッド式のスキャナーエンジンとして構成されている。
【００１６】
マルチファンクションプリンター本体２０のメインコントローラー３０は、ＣＰＵ３１を中心とするマイクロプロセッサーとして構成されており、ＣＰＵ３１の他に各種処理プログラムや各種データなどを記憶したＲＯＭ３２と、データを一時的に記憶するＲＡＭ３３と、電源を切ってもデータを保持する不揮発性メモリーとしてのフラッシュメモリー３４と、インターフェース（Ｉ／Ｆ）３５とを備える。このメインコントローラー３０は、電源のオンオフを行なうための電源ボタン３７からの操作信号やコピーの実行を指示するための実行ボタン３８からの操作信号などがＩ／Ｆ３５を介して入力され、プリンターユニット２１やスキャナーユニット２４，メモリーカードコントローラー２８からの各種検知信号などが入力されている。また、メインコントローラー３０からは、メモリーカードＭＣからのファイルの読み出し指令がメモリーカードコントローラー２８に出力され、印刷指令がプリンターユニット２１（プリンターＡＳＩＣ２３）に出力され、スキャン指令（原稿の読み取り指令）がスキャナーユニット２４（スキャナーＡＳＩＣ２６）に出力されている。
【００１７】
リモート端末４０は、各種メニュー画面などを表示するためのＬＣＤモジュール４１とペン入力のためのタッチパネルモジュール４２とが組み合わされたタッチパネル式の液晶ディスプレイとして構成されている。このリモート端末４０のサイド部には、図１に示すように、端末を起動するための電源ボタン４６が設けられている。
【００１８】
タッチパネルモジュール４２は、タッチスクリーン上でペンＰや人体（指など）が接触された点の座標を入力する座標入力装置であり、本実施形態では、２点以上の接触を検知する多点検知が可能な投影型静電容量方式を採用している。勿論、タッチパネルモジュール４２の方式は、静電容量方式に限られず、抵抗膜方式や電磁誘導方式など種々の方式を採用し得る。
【００１９】
リモート端末４０は、その制御系としては、装置全体の制御を司るメインコントローラー５０と、ＬＣＤモジュール４１の表示制御を司るＬＣＤコントローラー４３と、タッチパネルモジュール４２の入力制御を司るタッチパネルコントローラー４４と、マルチファンクションプリンター本体２０と無線通信するための無線通信部４５とを備えており、これらはバス５６を介して互いに電気的に接続されている。
【００２０】
リモート端末４０のメインコントローラー５０は、ＣＰＵ５１を中心とするマイクロプロセッサーとして構成されており、ＣＰＵ５１の他に各種処理プログラムや各種データなどを記憶するＲＯＭ５２と、データを一時的に保存するＲＡＭ５３と、電源を切ってもデータを保持する不揮発性メモリーとしてのフラッシュメモリー５４と、インターフェース（Ｉ／Ｆ）５５とを備える。このメインコントローラー５０は、電源ボタン４６からの操作信号などがＩ／Ｆ５５を介して入力され、タッチパネルコントローラー４４からの座標信号などが入力されている。また、メインコントローラー５０からは、ＬＣＤコントローラー４３への制御信号などが出力されている。
【００２１】
こうして構成された本実施形態のマルチファンクションプリンターの動作、特に、マルチファンクションプリンター本体２０を複写機（コピー機）として用いる場合の動作について説明する。マルチファンクションプリンター本体２０をコピー機として用いる場合、マルチファンクションプリンター本体２０の給紙トレイ３９ａに用紙をセットすると共に原稿台にコピー元の原稿をセットし、リモート端末４０の図示しないメニュー画面でコピーモード画面を呼び出し、コピーモード画面上で各種コピー設定を指定した後にコピー開始を指示することにより行なう。図２は、コピーモード画面６０の一例を示す説明図である。コピーモード画面６０では、図２に示すように、コピー枚数（部数）を指定するためのコピー枚数指定枠６２と、カラーコピーかモノクロコピーかを指定するためのコピー色指定枠６３と、写真や文字など原稿の種類を指定する原稿種指定枠６４と、余白あり（標準コピー）や余白なしを指定するためのレイアウト指定枠６５と、コピー濃度を−５〜＋５の１刻みで指定が可能なコピー濃度指定枠６６と、コピー倍率を指定するための倍率指定枠６７、コピー開始を指示するためのコピー開始ボタン枠６８などのメニューが用意されている。各指定枠６２〜６７のデフォルト設定は、本実施形態では、コピー枚数が「１枚」，コピー色が「カラー」，原稿種が「写真」，レイアウトが「標準コピー」，コピー濃度が「±０」，倍率が「等倍」となっている。コピーモード画面６０では、各指定枠６２〜６７の何れかがタップされると、タップされた指定枠で選択が可能な設定項目の一覧がポップアップ形式で表示されるようになっており、これら選択候補のうちの何れかの候補をタップすることで、対応する指定枠のコピー設定を変更することができる。例えば、コピー色をデフォルト設定の「カラー」から「モノクロ」に変更する場合の操作としては、図３に示すように、コピー色指定枠６３をタップすることによりポップアップ表示枠６９を呼び出し、「モノクロ」のボタン枠内をタップすることにより行なうことができる。なお、ポップアップ表示枠６９の上部に表示される閉じるボタン枠６９ａをタップすると、ポップアップ表示枠６９が閉じ、図２に示す画面に戻る。
【００２２】
また、本実施形態のマルチファンクションプリンターでは、マルチファンクションプリンター本体２０に実行ボタン３８が設けられており、実行ボタン３８を操作することにより、リモート端末４０を操作することなく、上述したデフォルト設定でのコピーの実行が可能となっている。また、後述する一定の条件の下で、デフォルト設定以外のコピー設定を用いてコピーを実行することもできる。
【００２３】
次に、リモート端末４０を用いてコピーの実行を指示する場合のマルチファンクションプリンター本体２０の動作の詳細と、実行ボタン３８を用いてコピーの実行を指示する場合のマルチファンクションプリンター本体２０の動作の詳細について説明する。まず、前者の動作について説明し、その後、後者の動作について説明する。図４は、リモートコピー処理の一例を示すフローチャートである。このルーチンは、リモート端末４０からコピー開始の指示（コピー開始コマンド）を受信したときに実行される。コピー開始の指示は、リモート端末４０でコピーモード画面６０を呼び出し、コピー開始ボタン枠６８をタップすることでコピー開始コマンドをマルチファンクションプリンター本体２０に送信することにより行なう。なお、コピー開始コマンドには、コピーモード画面６０で指定したコピー設定などが含まれる。
【００２４】
リモートコピー処理が実行されると、メインコントローラー３０のＣＰＵ３１は、まず、リモート端末４０から受信したコピー開始コマンドを解析し（ステップＳ１００）、コピー開始コマンドに含まれるコピー設定を今回使用するコピー設定にセットし（ステップＳ１１０）、セットしたコピー設定に従ってコピーを実行する（ステップＳ１２０）。なお、コピーの実行は、スキャナーＡＳＩＣ２６に対してスキャン指令を送信し、スキャナーエンジン２５による原稿のスキャン動作により得られた画像データを印刷用データに変換し、変換した印刷用データに基づいてプリンターエンジン２２により印刷が実行されるようプリンターＡＳＩＣ２３に対してプリント指令を送信することにより行なう。そして、ステップＳ１１０でセットしたコピー設定をＲＡＭ３３に保存すると共に（ステップＳ１３０）、リモートコピー実行済みフラグを値１にセットして（ステップＳ１４０）、リモートコピー処理を終了する。
【００２５】
図５は、実行ボタン操作時コピー処理の一例を示すフローチャートである。このルーチンは、マルチファンクションプリンター本体２０の実行ボタン３８が操作されたときに実行される。
【００２６】
実行ボタン操作時コピー処理が実行されると、メインコントローラー３０のＣＰＵ３１は、まず、リモートコピー実行済みフラグＦが値０か否かを判定する（ステップＳ２００）。ここで、リモートコピー実行済みフラグＦは、図４のリモートコピー処理が実行されると、ステップＳ１４０で値１がセットされ、所定時間が経過すると、図６に示すフラグリセット処理により値０にリセットされる。ここで、フラグリセット処理によるリモートコピー実行済みフラグＦのリセットは、図６に示すように、リモートコピー実行済みフラグＦが値１か否か（ステップＳ３００）、リモートコピー実行済みフラグＦが値１にセットされてから所定時間が経過したか否かを判定し（ステップＳ３１０）、リモートコピー実行済みフラグＦが値１で且つ所定時間が経過したと判定されると、リモートコピー実行済みフラグＦを値０にセットすることにより行なわれる（ステップＳ３２０）。
【００２７】
リモートコピー実行済みフラグＦが値０と判定された場合には、デフォルト設定を今回使用するコピー設定にセットすると共に（ステップＳ２１０）、セットしたコピー設定を用いてコピーを実行する（ステップＳ２２０）。一方、実行済みフラグＦが値１と判定された場合には、ＲＡＭ３３に保存した前回使用のコピー設定を今回使用するコピー設定にセットし（ステップＳ２３０）、セットしたコピー設定を用いてコピーを実行する（ステップＳ２２０）。即ち、通常時に実行ボタン３８が操作されると、デフォルト設定でコピーを実行することになるが、一度リモート端末４０側でコピー設定を入力してコピーを実行すると、所定時間が経過するまでは実行ボタン３８を操作するだけで、前回使用したコピー設定でコピーを再実行できるのである。マルチファンクションプリンター本体２０をコピー機として用いる場合、前述したように、マルチファンクションプリンター本体２０側では原稿台にコピー元の原稿をセットする作業が必要となり、リモート端末４０側ではコピーモード画面を呼び出してコピーモード画面上で各種コピー設定を指定したりコピー開始を指示したりする作業が必要となる。このため、デフォルト設定でコピーを実行する場合や同一設定でコピーを繰り返す場合に、こうしたマルチファンクションプリンター本体２０側とリモート端末４０側の両方の作業とを必要とすると、ユーザーの作業負担が増大する。本実施形態では、こうした作業負担の増大を解消するために、マルチファンクションプリンター本体２０側に実行ボタン３８を設け、実行ボタン３８の操作に対応する処理として、デフォルト設定でのコピーの実行と前回使用したコピー設定でのコピーの実行とを切り替えて実行しているのである。
【００２８】
ここで、本実施形態の構成要素と本発明の構成要素との対応関係を明らかにする。本実施形態のマルチファンクションプリンター本体２０が本発明の「本体」に相当し、リモート端末４０が「送信側操作部」に相当し、実行ボタン３８が「受信側操作部」に相当し、図４のリモートコピー処理や図５の実行ボタン操作時コピー処理、図６のフラグリセット処理を実行するメインコントローラー３０が「操作対応処理実行手段」に相当する。
【００２９】
以上説明した本実施形態のマルチファンクションプリンターによれば、コピー機能を有するマルチファンクションプリンター本体２０と各種コピー設定やコピー開始の指示が可能なリモート端末４０とを備え、マルチファンクションプリンター２０側に実行ボタン３８を配置する。そして、通常時に実行ボタン３８が操作された場合にデフォルト設定でコピーを実行し、リモート端末４０側でコピー設定を入力してコピーが実行されると、所定時間が経過するまでは実行ボタン３８を操作された場合に前回使用したコピー設定でコピーを再実行する。これにより、デフォルト設定でコピーを実行したり、前回使用したコピー設定と同一設定でコピーを繰り返し実行したりする場合には、実行ボタン３８を操作するだけでよいから、ユーザーの作業負担を軽減させることができる。
【００３０】
本実施形態のマルチファンクションプリンターでは、コピー設定に加えてコピー開始の指示もリモート端末４０側で行なうものとしたが、コピー開始の指示についてはマルチファンクションプリンター本体２０側の実行ボタン３８を操作することで行なうものとしてもよい。
【００３１】
本実施形態のマルチファンクションプリンターでは、リモートコピー実行済みフラグＦのリセット（前回使用したコピー設定でのコピー実行からデフォルト設定でのコピー実行への切り替え）を、リモート端末４０側で入力されたコピー設定でコピーが実行されてから所定時間が経過したタイミングで行なうものとしたが、これに限られるものではなく、電源ボタン３７により電源オフされたタイミングとするものとしてもよいし、電源ボタン３７により電源オンされたタイミングとするものとしてもよい。これらの場合、電源オンされてリモート端末４０側でコピー設定を入力してコピーが実行されるまでに実行ボタン３８が操作された場合にデフォルト設定でコピーを実行し、リモート端末４０側でコピー設定を入力してコピーが実行されてから電源オフされるまでに実行ボタン３８が操作された場合には前回使用したコピー設定でコピーを実行するものとなる。また、マルチファンクションプリンター本体２０にリセットボタンを設けるものとし、このリセットボタンが操作されたタイミングでリモートコピー実行済みフラグＦをリセットするものとしてもよい。
【００３２】
本実施形態のマルチファンクションプリンターでは、通常時における実行ボタン３８の操作に対応する処理として、デフォルト設定でコピーを実行するものとしたが、これに限定されるものではなく、他の処理を実行するものとしてもよい。例えば、複数頁の原稿を連続してスキャンする場合の各頁のスキャンの開始を指示する処理を実行するものとしてもよい。
【００３３】
本実施形態では、本発明をマルチファンクションプリンターに適用して説明したが、コピー機能のみを備える複写機に適用するものとしてもよい。
【００３４】
なお、本発明は上述した実施形態に何ら限定されることはなく、本発明の技術的範囲に属する限り種々の態様で実施し得ることはいうまでもない。
【符号の説明】
【００３５】
２０  マルチファンクションプリンター本体、２１  プリンターユニット、２２  プリンターエンジン、２３  プリンターＡＳＩＣ、２４  スキャナーユニット、２５  スキャナーエンジン、２６  スキャナーＡＳＩＣ、２７  メモリーカードスロット、２８  メモリーカードコントローラー、２９  無線通信部、３０  メインコントローラー、３１  ＣＰＵ、３２  ＲＯＭ、３３  ＲＡＭ、３４  フラッシュメモリー、３５  インターフェース（Ｉ／Ｆ）、３６  バス、３７  電源ボタン、３８  実行ボタン、３９ａ  給紙トレイ、３９ｂ  排紙トレイ、４０  リモート端末、４１  ＬＣＤモジュール、４２  タッチパネルモジュール、４３  ＬＣＤコントローラー、４４  タッチパネルコントローラー、４５  無線通信部、４６  電源ボタン、５０  メインコントローラー、５１  ＣＰＵ、５２  ＲＯＭ、５３  ＲＡＭ、５４  フラッシュメモリー、５５  インターフェース（Ｉ／Ｆ）、５６  バス、６０  コピーモード画面、６２  コピー枚数指定枠、６３  コピー色指定枠、６４  原稿種指定枠、６５  レイアウト指定枠、６６  コピー濃度指定枠、６７  倍率指定枠、６８  コピー開始ボタン枠。
【図１】
2013251591.tif 000003
【図４】
2013251591.tif 000004
【図５】
2013251591.tif 000005
【図６】
2013251591.tif 000006
【図２】
2013251591.tif 000007
【図３】
2013251591.tif 000008